(57)【要約】      （修正有）【課題】液体、特に薬物液体のための排出装置を提供する。【解決手段】この排出装置は送出装置１０、この送出装置の入口１０ａと連通する液体３０の貯蔵のための液体貯蔵容器２０、及び前記送出装置の出口１０ｂと連通する排出口１２、を含み、液体貯蔵容器２０が少なくとも一部が寸法的に柔軟な液体含有バッグ２０の形態であり、液体貯蔵容器２０が一定容積の緩衝室４２内に配置され、空気が緩衝室４２から逃げるのを防ぐために、緩衝室に対し環境１から気密態様で保護ハウジングにより封止し、緩衝室に対し圧力補償の目的のため少なくとも一つの毛管通路を通して環境と連通し、または緩衝室に対し圧力補償の目的のため平衡通路を介して環境１と連通する一方で、圧力差に依存して開く弁７０がこの平衡通路内に配置されている。【選択図】図６ａ−６ｂ
2011088676.tif 000002
【特許請求の範囲】
【請求項１】
液体、特に薬物液体のための排出装置において、それが、
−  送出装置（１０）、
−  前記送出装置の入口（１０ａ）と連通しかつ液体（３０）を貯蔵するのに適合した液体貯蔵容器（２０）、及び
−  前記送出装置の出口（１０ｂ）と連通する排出口（１２）、
を含み、
さらに
−  前記液体貯蔵容器（２０）の少なくとも一部が寸法的に柔軟な液体含有バッグ（２０）の形態であり、かつ
−  前記液体貯蔵容器（２０）が一定容積の緩衝室（４２）内に配置され、
さらに
前記緩衝室（４２）が環境（１）から気密態様で保護ハウジング（４０）により封止されていることを特徴とする排出装置。
【請求項２】
液体、特に薬物液体のための排出装置において、それが、
−  送出装置（１０）、
−  前記送出装置の入口（１０ａ）と連通しかつ液体（３０）を貯蔵するのに適合した液体貯蔵容器（２０）、及び
−  前記送出装置の出口（１０ｂ）と連通する排出口（１２）、
を含み、
さらに
−  前記液体貯蔵容器（２０）の少なくとも一部が寸法的に柔軟な液体含有バッグ（２０）の形態であり、かつ
−  前記液体貯蔵容器（２０）が一定容積の緩衝室（４２）内に配置され、
さらに
前記緩衝室（４２）が圧力平衡の目的のために少なくとも一つの毛管通路（６０；６２）を通して環境（１）と連通することを特徴とする排出装置。
【請求項３】
前記毛管通路（６０；６２）が長くて狭い形態を持ち、特に
−  前記毛管通路（６０；６２）の長さを平均断面積で割った商が３００ｍｍ−１より大きく、特に１０００ｍｍ−１より大きいこと、
−  前記毛管通路（６０；６２）の平均断面積が０．０５ｍｍ２より小さく、好ましくは０．０２ｍｍ２より小さく、より好ましくは０．０１ｍｍ２より小さいこと、かつ／または
−  毛管通路（６０；６２）の長さが１０ｍｍより大きく、好ましくは３０ｍｍより大きく、より好ましくは５０ｍｍより大きいこと、
を特徴とする請求項２に記載の排出装置。
【請求項４】
前記毛管通路（６０；６２）の少なくとも一部が、前記液体貯蔵容器（２０）の外側表面上の溝状凹所（６０ｂ，６２ｃ，６０；６２ｂ）の形態及び／または前記緩衝室の内側表面上の溝状凹所の形態であり、かつ
前記毛管通路（６０；６２）が、好ましくは、この領域内で前記保護ハウジング（４０）及び前記液体貯蔵容器（２０）から全体に共同で封止されている、
ことを特徴とする請求項２または３に記載の排出装置。
【請求項５】
前記溝状凹所（６０；６２）の少なくとも一部が、前記液体貯蔵容器（２０）の外側表面上または前記緩衝室の内側表面上に弧または螺旋の形態で延びる、
ことを特徴とする請求項２〜４のいずれか一つに記載の排出装置。
【請求項６】
液体、特に薬物液体のための排出装置において、それが、
−  送出装置（１０）、
−  前記送出装置の入口（１０ａ）と連通しかつ液体（３０）を貯蔵するのに適合した液体貯蔵容器（２０）、及び
−  前記送出装置の出口（１０ｂ）と連通する排出口（１２）、
を含み、
さらに
−  前記液体貯蔵容器（２０）の少なくとも一部が寸法的に柔軟な液体含有バッグ（２０）の形態であり、かつ
−  前記液体貯蔵容器（２０）が一定容積の緩衝室（４２）内に配置され、
さらに
前記緩衝室（４２）が圧力補償の目的のために平衡通路を介して環境（１）と連通し、かつこの平衡通路内に圧力差に依存して開く弁（７０，７２）が配置されていることを特徴とする排出装置。
【請求項７】
前記弁（７２）が、前記液体貯蔵容器上に一体的に成型された閉鎖部分（７２ａ）を持ち、前記閉鎖部分（７２ａ）が、好ましくは、前記弁の閉鎖状態で前記緩衝室（４０）の内側表面に対して支えられることを特徴とする請求項６に記載の排出装置。
【請求項８】
前記緩衝室（４２）が、環境に対して低い拡散速度を示す材料、特に金属、セラミック、またはガラスから作られた壁により境界付けられていることを特徴とする請求項１〜７のいずれか一つに記載の排出装置。
【請求項９】
前記液体貯蔵容器（２０）上に半径方向外向きに向いたフィン（２２）が設けられ、それが前記緩衝ハウジング（４０）と前記送出装置を含むハウジング部（１４）との間のガスケットの機能を果たすことを特徴とする請求項１〜８のいずれか一つに記載の排出装置。
【発明の詳細な説明】
【技術分野】
【０００１】
本発明は、液体のための、特に薬物液体のための排出装置に関し、この排出装置は、送出装置、送出装置の入口と連通しかつ液体の貯蔵のために意図されている液体貯蔵容器、及び送出装置の出口と連通する排出口を含む。液体貯蔵容器は少なくとも部分的に寸法的に柔軟な液体含有バッグの形態のものであり、かつ一定容積の緩衝室内に配置される。この出願は、ドイツ特許出願１０２００９０５１５７０．４号の優先権を主張する。この先行出願の全開示は、ここに参考としてこの出願中に組み込まれる。
【背景技術】
【０００２】
液体のための、特に薬物液体のための排出装置は先行技術で周知である。それらは、例えば経鼻、経口、または他の薬物付与のためのディスペンサーとしてかつ化粧品のためのディスペンサーとして役立つ。送出装置を用いて、使用者は、液体を液体貯蔵容器から排出口に通過させることができ、そこから液体が例えば噴霧ジェットの形態で排出される。
【０００３】
かかるディスペンサーの特に共通の設計では、液体貯蔵容器は不変の内部容積を持つ。液体の排出が起こるときにこの液体貯蔵容器内に負圧が発現するのを防ぐために、前記容器の不変の容積のため、かかる排出装置の大抵の形態において、周囲圧力が液体貯蔵容器内にほぼ回復されるように空気が液体貯蔵容器中に平衡通路を通して流れる。
【０００４】
対照的に、一般的な排出装置において、液体貯蔵容器が寸法的に柔軟であり、従って液体の排出が起こるときにその内部容積を変えることができる。従って、空気の液体貯蔵容器中への流入のための要求がない。寸法的に柔軟な液体貯蔵容器が使用者の視界から隠れかつ液体貯蔵容器に対してどのような機械的損傷も起こる恐れがないように、この寸法的に柔軟な液体貯蔵容器を一定容積の緩衝室により包囲することも同様に知られている。しかし、かかる一般的な排出装置において、圧力平衡通路が通常設けられ、それにより緩衝室が環境と連通し、従って液体貯蔵容器により占められていない緩衝室のその領域の容積の増加が、液体が液体貯蔵容器から除去されるとすぐに起こり、緩衝室内及び液体貯蔵容器内に周囲圧力を維持するための空気の流入により補償されることができる。
【０００５】
しかし、それ自体公知の一般的構造は、寸法的に柔軟な液体貯蔵容器の薄い壁が、液体が液体貯蔵容器から緩衝室中に逃げ、従って液体貯蔵容器内に位置する液体の変化（特に薬物液体の場合には液体中に存在する活性成分の濃度の変化）を起こすのを、通常防ぐことができないという欠点を持つことが見出された。空気は液体貯蔵容器により占められていない緩衝室のその容積と環境との間で大部分自由に流れるので、上述の一般的な排出装置内の緩衝室内の空気は決して飽和されることにならず、従って液体貯蔵容器から緩衝室に液体貯蔵容器の薄い壁を通して拡散する液体の進行は進み、かかる拡散が続くと、液体貯蔵容器中に位置する液体の連続的な変化またはその量の減少がある。
【発明の概要】
【０００６】
本発明の目的は、この有害な拡散進行が防止されまたは減少されるような一般的な排出装置を設計することである。
【０００７】
本発明の第一変形では、この目的は、緩衝室が保護ハウジングにより環境から気密態様で密封されることで達成される。
【０００８】
排出装置のかかる設計では、排出装置の環境と液体貯蔵容器により占められていない緩衝室のその領域の間の連通が排除される。結果として、液体は、液体貯蔵容器の壁を通して液体貯蔵容器により占められていない緩衝室の領域中に制限された程度でしか拡散することができないが、空気の飽和がすぐに緩衝室内で起こり、この拡散進行を終了する。緩衝室と環境の間の空気の交換は起こらず、従って空気は飽和されたままである。従って、液体貯蔵容器の壁を通した拡散による液体損失の最大量は非常に限定される。
【０００９】
緩衝室を包囲する保護ハウジングは一定容積を有し、従って、排出装置が仕様に従って使用されかつその寸法的安定性のため液体貯蔵容器よりかなり厚い壁を持つとき、容積のいかなる顕著な減少も経験せず、従って拡散は前記保護ハウジングの壁を通して起こらない。
【００１０】
しかし、この第一変形による排出装置の設計はまた、緩衝室内に発現する負圧をもたらし、この負圧は送出装置の操作毎にかつ液体の排出毎に増加する。送出装置がもはや負圧に対して働かないような範囲までこの負圧が増加するのを防ぐために、液体貯蔵容器が液体で満たされかつ周囲圧力が緩衝室内に普及する送出状態で、液体貯蔵容器が緩衝室の合計内部容積の７０％、好ましくは５０％の最大容積を占めるときに有利であると考えられる。これは、緩衝室内の圧力が約０．３バールまたは約０．５バール以下に落ちないことを確保し、この負圧は通常、この分野で一般的に使用される送出装置により克服されることができる。合計容積の５０％または７０％のこの最大割合は、例えば液体で完全に満たされたときの液体貯蔵容器の最大容積が緩衝室の内部容積の半分のみにまたは約３分の２に等しいことを確保することにより達成されることができる。これに代えて、より大きい最大容積を持つが部分的にのみ送出状態で満たされる液体貯蔵容器が使用されることができる。
【００１１】
本発明の第二変形では、圧力平衡の目的のために少なくとも一つの毛管通路を介して環境と連通する緩衝室が提供される。
【００１２】
かかる毛管通路は薄くて長い形態を持ち、その端部の一方は緩衝室に開口し、他端は環境に開口する。従って、緩衝室内の圧力を環境のそれと等しくする可能性が存在するが、緩衝室と環境の間の連結が毛管通路の形態であるという事実は、緩衝室内の空気が液体でまだ飽和されていることをもたらす。この空気飽和は、排出装置がある時間の間使用されないときに液体貯蔵容器からの液体のさらなる拡散を防ぐ。湿度の安定な勾配が毛管通路内に形成される。
【００１３】
本発明の目的のために、用語「毛管通路」は、１ｍｍ２未満の断面積を持つ通路のみを意味すると理解される。緩衝室内の湿気が逃げるのを防止し、安定な勾配の形成を確保するために、毛管通路の長さをその平均断面積で割った商が３００ｍｍ−１より大きく、特に好ましくは１０００ｍｍ−１より大きいときに特に有利であると考えられる。少なくとも２５００ｍｍ−１の商がさらに有利であると考えられる。従って、０．０３ｍｍ２の平均断面積を持つ毛管通路は、本発明によれば、少なくとも約１０ｍｍの長さを持たなければならない。
【００１４】
この断面積の長さに対する割合を越えかつそれ以上であるなら、断面積が非常に小さい、好ましくは０．０５ｍｍ２未満、より好ましくは０．０２ｍｍ２未満、理想的な場合では０．０１ｍｍ２未満であるときに特に有利であることが見出された。さらに、毛管通路の長さが好ましくは少なくとも１０ｍｍ、より好ましくは少なくとも３０ｍｍ、最も好ましくは少なくとも５０ｍｍであるべきであることが見出された。
【００１５】
毛管通路が液体貯蔵容器の外側表面または保護ハウジングの内側表面が少なくとも部分的に溝状凹所の形態であるときに特に有利である。かかる溝状凹所は作るのが容易である。毛管通路はそのとき、液体貯蔵容器の外側表面または保護ハウジングの内側表面をそれぞれの対抗要素に対して支持させることにより周囲を閉じられることができる。溝状凹所により形成された領域内の毛管通路が一方では保護ハウジングによりかつ他方では液体貯蔵容器により共同して周囲を閉じられるときに特に有利である。これは費用効果的かつ簡単な構造をもたらす。さらに、液体貯蔵容器のために使用される柔軟な材料は周囲封止を毛管通路に与えるために特に適している。液体貯蔵容器の意図した使用によるその中に貯蔵された液体と接触しない液体貯蔵容器の表面は液体貯蔵容器の外側表面であると考えられる。液体貯蔵容器の外側表面の毛管通路が形成された領域は好ましくは、排出装置の意図した使用により変形される液体貯蔵容器の部分より大きな壁厚を持つ。
【００１６】
特に長い毛管通路を達成するために、溝状凹所が少なくとも部分的に液体貯蔵容器の外側表面または保護ハウジングの内側表面上に弧または螺旋として延びるときに有利であると考えられる。かかる設計は、例えば２０ｍｍ未満の直径を持つ小さな排出装置であっても５０ｍｍを越える長さを持つ毛管通路を容易に作成可能にする。
【００１７】
上述の第二変形の特徴とも組合されることができる本発明の第三変形では、均圧の目的のための圧力平衡通路により一般的排出装置の緩衝室を環境に連結し、この平衡通路内に圧力差に依存して開く弁が配置されている。
【００１８】
かかる設計では、平衡通路は特定の長さを持つ必要がない。それは、負圧がその環境の周囲圧に対して緩衝室内に出現するときに開くのに適合した弁を収容する役目をするにすぎない。この弁は、例えば少なくとも０．１バール、特に少なくとも０．２バールの圧力差が発生するときに開くように設計されることができる。この弁は代替的に、非常にわずかな負圧が緩衝室内に発生するときであっても開くように適合されることができる。
【００１９】
かかる設計は、同様に、緩衝室内の飽和空気が環境に逃げることができないことを確保する。弁は負圧が発生するときにのみ開くので、空気はそのとき流入のみ可能であり、この空気は液体貯蔵容器から周囲の緩衝室中のみへの液体の少量の拡散をもたらす。飽和空気は環境に逃げない。
【００２０】
圧力差に依存して開く弁は、この目的のために適したどのような弁であることもでき、例えば座部及びそれに対して可動なばね偏倚本体を含む弁、または代替的にスロット付きダイヤフラム、特にスロット付きドームを持つダイヤフラムを含む簡単なダイヤフラム弁であることができる。
【００２１】
弁が液体貯蔵容器上に一体的に成型された閉鎖部分を持つ設計は、特に有利であると考えられる。この閉鎖部分は、液体貯蔵容器の材料の寸法的に柔軟な性質のため閉位置から開位置へ切り替わる。好ましくは、閉鎖部分は弁の閉状態で保護ハウジングの内側表面に対して載る。弁の閉鎖部分が液体貯蔵容器の壁の一体的成型要素により形成されるこの設計は特に費用効果的である。なぜなら保護ハウジング及び液体貯蔵容器は別として、追加の要素が弁を構成するために必要ではないからである。ここでは、閉鎖部分が液体貯蔵容器の外側表面上にその周囲に延び、同様に保護ハウジングの内側表面に対して周囲に載るときに特に有利である。
【００２２】
上述のように、保護ハウジングの壁は液体貯蔵容器のそれより厚く、従ってこの壁を通しての液体の拡散は有意な程度には起こらないかまたは全く起こらないかのいずれかである。拡散傾向をさらに低下するために、保護ハウジング、少なくとも部分的に低い拡散速度を示す材料、特に金属、セラミックまたはガラスから作られた壁を備えることが有利でありうる。
【００２３】
さらに、半径方向に外向きに向いたフィンが液体含有バッグの形態の液体貯蔵容器上に設けられるときに有利であると考えられ、このフィンは保護ハウジングと排出装置を収容するための入れ物との間のシールの形態で構成され、保護ハウジングから分離して配置される。シールとして、このフィンはそのとき二重の機能を果たす。第一に、それは、環境に対して液体貯蔵容器により占められていない緩衝室のその部分を封止する。第二に、それは、液体貯蔵容器と排出装置の間の移行領域において環境に対する封止を形成する。本発明の第二及び第三変形では、フィンが毛管通路または圧力平衡通路により中断されたり、フィンが前記中断から離れるように設けられた領域でのみ封止機能を果たすことがなされることができる。
【図面の簡単な説明】
【００２４】
本発明の追加的態様及び利点は、図面に関して以下に説明される本発明の好適例示的実施態様の以下の説明及び請求項により明らかになる。
【００２５】
【図１ａ−１ｂ】図１ａと１ｂは、本発明の排出装置の第一実施態様を示す。
【００２６】
【図２ａ−２ｂ】図２ａと２ｂは、本発明の排出装置の第二実施態様を示す。
【００２７】
【図３】図３は、本発明の排出装置の第二実施態様を示す。
【００２８】
【図４ａ−４ｂ】図４ａと４ｂは、本発明の排出装置の第三実施態様を示す。
【００２９】
【図５】図５は、本発明の排出装置の第三実施態様を示す。
【００３０】
【図６ａ−６ｂ】図６ａと６ｂは、本発明の排出装置の第四実施態様を示す。
【００３１】
【図７ａ−７ｂ】図７ａと７ｂは、本発明の排出装置の第五実施態様を示す。
【００３２】
【図８】図８は、本発明の排出装置の第五実施態様を示す。
【発明を実施するための形態】
【００３３】
図面に示された本発明の排出装置はそれぞれ携帯用排出装置の形態であり、それらはそれぞれ、共通の特徴として、手動操作可能な送出装置１０を含み、その入口側１０ａは液体貯蔵容器２０に連結され、その出口側１０ｂは排出口１２に連結される。図１から３に示された実施態様の場合では、送出装置１０はピストンポンプの形態である。図４から７に示された実施態様の場合では、送出装置１０はベローポンプの形態である。さらに、全ての実施態様は、液体貯蔵容器２０が柔軟な性質の液体含有バッグの形態であり、従ってその内部容積が液体貯蔵容器２０内に存在しかつ排出される液体３０の量に合うように適合させられることができるという効果を等しく持つ。さらに、全ての実施態様の排出装置の共通の特徴は、バッグタイプの液体貯蔵容器２０が保護ハウジング４０により形成された緩衝室４２に配置され、従って外部の機械的影響から保護されることである。
【００３４】
図１ａは、送出された状態の第一実施態様を示す。この送出状態では、液体貯蔵容器２０は、それが緩衝室４２の約５０％のみを満たすような最大容積を持つ。この送出状態では、液体貯蔵容器により占められていない緩衝室４２のその部分４２ａは、ほぼ周囲圧力（１バール）下の空気により満たされる。
【００３５】
この実施態様及び全ての他の実施態様では、液体貯蔵容器２０は、液体貯蔵容器２０内に存在する液体３０が少なくとも液体の形態で液体貯蔵容器２０から送出装置１０の方向にのみ逃げることができるように送出装置１０に連結されている。図１ａ及び１ｂに示された実施態様及び同様に示された全ての実施態様では、環境１内の周囲空気が液体貯蔵容器２０自身に入る可能性はない。液体貯蔵容器２０は液体貯蔵容器２０の上端に設けられかつ容器４０の上縁４４とシールとして作用する送出ハウジング１４間で締め付けられる周囲カラー２２により環境から封止される。
【００３６】
さらに、図１ａと１ｂに示された実施態様では、このシールはまた、空気で満たされた緩衝室４２のその部分４２ａを環境１に対して気密態様で封止させ、従って外部空気は液体貯蔵容器２０だけでなく、液体貯蔵容器２０により占められていない緩衝室４２の部分４２ａにも入ることができない。
【００３７】
図１ａと１ｂに示された排出装置は、液体３０が送出装置１０を手動起動器１６により手動的に操作することにより排出されることで作用されるとき、液体貯蔵容器２０の内部容積が減少され、一方で緩衝室４２の包囲部分４２ａが必ず増加される。空気は排出装置中に流入できないので、これは徐々に、緩衝室４２内を支配する圧力の減少をもたらす。この圧力減少は、かなりの量の空気が図１ａに示された送出状態の緩衝室４２内に既に存在するという事実のためにあまり重要なものではない。液体貯蔵容器２０が完全に空であるとき、緩衝室内の圧力は約０．５バールである。送出装置１０はかかる低圧を阻止しながら作動することができるように設計されているので、排出装置の操作信頼性は常に保証されている。
【００３８】
図１ｂは中間状態を示し、そこでは液体３０の半分が排出されており、緩衝室４２内の圧力は約０．８バールであり、すなわち約０．２バールの減圧が環境に対して支配する。
【００３９】
環境１に対する緩衝室４２の完全な分離の結果として、図１ａと１ｂに示された設計は、ほんの少量の液体３０だけが液体貯蔵容器２０の壁を通して緩衝室４２の領域４２ａ中へ拡散することを可能にする。部分４２ａ内の空気は非常に迅速に飽和され、従ってこの拡散進行は停止する。飽和された空気は、緩衝室４２が気密態様で環境１から封止されているという事実のために逃げることができないので、ほんの少量の液体３０だけが緩衝室４２の領域４２ａ中へ通過できる。
【００４０】
図２ａと２ｂに示された実施態様は図１ａと１ｂに示された実施態様とかなり同じである。しかし、この実施態様は、毛管通路６０が設けられ、その部分６０ａが環境１から液体貯蔵容器２０のカラー２２に延びる点で第一実施態様と異なる。図３に示されるように、溝がこのカラー２２内に設けられ、毛管通路６０の外を向いた部分６０ｂ、接線的に延びる部分６０ｃ、及び半径方向内向きに向いた部分６０ｄを形成する。この溝の開放側は容器４０の上縁４４により閉じられる。空気は緩衝室４２の領域４２ａに毛管通路を通して入ることができ、従って圧力平衡は液体貯蔵容器２０が漸次空になるときに起こることができる。従って、約１バールの周囲圧力は排出装置の各操作直後に緩衝室４２内に再確立される。毛管通路６０を通る空気の経路は、図２ｂに示された点線矢印２により示される。
【００４１】
従って、図２ａ，２ｂ及び３に示されたこの実施態様では、環境１と緩衝室４２の間で連通がある。しかし、この連通は毛管通路６０の形態を取るので、液体貯蔵容器２０から液体貯蔵容器２０により占められていない緩衝室４２のその領域４２ａ中に拡散した液体を環境１中に逃がすことができない。代わりに、領域４２ａ内の飽和された空気と環境１内の空気の間の毛管通路６０内に安定な勾配が確立され、この勾配が液体貯蔵容器２０から拡散された液体３０を緩衝室４２の部分４２ａから無視できる量でのみ逃げさせることを可能にする。
【００４２】
図４と５に示された実施態様は、基本的な構成の点で前の実施態様から明らかに異なるが、液体貯蔵容器２０により占められない緩衝室４２の領域４２ａの通気に対して同様な基本原理に従う送出器を示す。ここでもまた、毛管通路６２が設けられ、その第一区域６２ａは二つのハウジング部分１４と４０の間に延びる。区域６２ａは毛管通路の区域６２ｂに隣接し、区域６２ｂは液体貯蔵容器２０の外側表面の螺旋溝の形態であり、その開放側は保護ハウジング４０の内側表面により閉じられる。
【００４３】
この毛管通路６２の目的は、図２ａ，２ｂ及び３に示された実施態様の毛管通路６０のそれと同じである。環境１からの空気は点線矢印４の経路に沿って緩衝室４２に入ることができる。この実施態様の特有の特徴は特に、その螺旋形の結果としての毛管通路６２の増大した長さにある。
【００４４】
図６ａと６ｂに示された実施態様では、液体３０の排出により起こる液体貯蔵容器２０の容積の減少は再び、液体貯蔵容器２０により占められていない緩衝室４２のその領域４２ａ中への空気の続く流入を補償する。しかし、これは毛管通路によってではなく、その代わりに支配圧力に依存して開く弁７０により達成される。弁７０はドーム形状の弁ダイヤフラム７０ａを含み、それはそのドーム状領域内でスロットを付与されている。液体貯蔵容器２０の容積が液体の排出のために減少するとき、環境１に対する負圧が領域４２ａ内に発現する。領域４２ａ内の空気と環境１の間の圧力差が０．２バールを越えるとき、弁７０が図６ｂに示す態様で開き、矢印６の経路に沿った空気の流入を可能にする。しかし、液体貯蔵容器２０の壁を通して領域４２ａ中に拡散してこの領域内の空気の飽和を起こす液体は、緩衝室４２から逃げることができず、従って、この実施態様でもまた、ほんの少量の液体３０だけが環境１に損失されるであろう。
【００４５】
図７ａ，７ｂ及び８に示された実施態様は、その操作モードに関して図６ａと６ｂに示されたものに密接に関連している。しかし、この最後の実施態様では、弁７２は別個のダイヤフラムにより形成されず、液体貯蔵容器２０の外側表面上のその周囲に延びる閉鎖リップ７２ａにより形成される。この閉鎖リップ７２ａは、緩衝室４２と環境１との間の圧力差が０．２バール未満であるときに容器保護ハウジング４０の内側表面に対して載り、従って空気は領域４２から逃げることができない。これは図７ａに示される。液体貯蔵容器２０からの液体３０の排出のために領域４２ａ内に０．２バールを越える負圧が作られるときにのみ、閉鎖リップ７２ａは一時的に容器の内側表面保護ハウジング４０から少なくとも部分的に離れるように動き、従って矢印８により示された経路に沿って進む、すなわち環境１から緩衝室４０の領域４２ａまで進む、空気の流入のための道を作る。
【図１ａ−１ｂ】
2011088676.tif 000003
【図２ａ−２ｂ】
2011088676.tif 000004
【図３】
2011088676.tif 000005
【図４ａ−４ｂ】
2011088676.tif 000006
【図５】
2011088676.tif 000007
【図６ａ−６ｂ】
2011088676.tif 000008
【図７ａ−７ｂ】
2011088676.tif 000009
【図８】
2011088676.tif 000010